(57)【特許請求の範囲】
【請求項１】
複数のジュークボックスを含むディジタルオーディオビジュアル再生システムであって、各ジュークボックスが、マイクロプロセッサと、ユーザの要求に応答して、ジュークボックスによって再生可能なオーディオビジュアル情報を記憶する記憶手段と、サウンドを再生するオーディオシステム（５、５３、５４）と、ビデオ画像を表示するビデオシステム（６、６２）と、ジュークボックスが、遠隔サーバによって制御されるオーディオビジュアル情報配布ネットワークと通信できるようにする通信システム（４、４１）とを含み、サーバおよびジュークボックスが、配布ネットワークを介して互いに通信し、サーバがサービスをジュークボックスに提供し、ディジタルオーディオビジュアル再生システムは、各々が複数のジュークボックス機能を制御する複数の遠隔制御装置を含み、各遠隔制御装置が、ジュークボックスの音響制御回路（５）に接続された無線周波数受信機（５１）に関連する遠隔無線周波数送信機を含み、各遠隔制御装置は、ジュークボックスが遠隔制御装置によって送信される識別コードを含むチェックコードを認識するときにのみ、ジュークボックスの１つを制御するように構成され、少なくとも１つのジュークボックスが、識別コードを記憶するように構成され、かつ、ジュークボックスが遠隔制御装置によって送信されるチェックコードに応答するか否かを決定するために、比較が、配布ネットワークを介して遠隔制御装置またはサーバによって送信されるチェックコードに含まれる識別コードと行われるとき、記憶された識別コードを使用するように構成され、遠隔制御装置は、遠隔制御装置が初めて使用されるとき、ジュークボックスが識別コードを容易に記憶することができるように、作動されるとき、識別コードだけを含む信号をトリガする特定のキーを含み、各ジュークボックスが、一方では、特定のキーが作動されるとき、遠隔制御装置によって送信される識別コードの認識を可能にするように設計され、かつ他方では、ジュークボックスによって前記送信される識別コードが記憶されるように設計された学習モードを備える、ディジタルオーディオビジュアル再生システム。
【請求項２】
遠隔制御装置がディジタルオーディオビジュアル再生システムおよびその支払い手段（３５）を停止または起動する手段を備える、請求項１に記載のディジタルオーディオビジュアル再生システム。
【請求項３】
各ジュークボックスは、支払い手段（３５）を停止させると、カスタマイズ可能なメッセージが、ジュークボックスのディスプレイ手段（６２）に表示される、請求項２に記載のディジタルオーディオビジュアル再生システム。
【請求項４】
遠隔制御装置が、いくつかのクレジットを割り当てるために、またディジタルオーディオビジュアル再生システムに少なくとも１つの曲目に相当するクレジットをクレジットすることを可能にするために会計手段を備え、クレジットの最大数が、ディジタルオーディオビジュアル再生システムの記憶手段に記憶される、請求項１から３のいずれか一項に記載のディジタルオーディオビジュアル再生システム。
【発明の詳細な説明】
【０００１】
【発明の属する技術分野】
本発明は、ジュークボックスとも呼ばれるインテリジェントディジタルオーディオビジュアル再生システムのための遠隔制御装置に関する。
【０００２】
【従来の技術】
従来技術では、赤外線技術を使用して装置を制御する遠隔制御システムが知られている。これらのシステムは、遠隔制御装置上にある送信機と装置上にある受信機とを含む。赤外線を使用する場合、送信機を装置上の受信機の方に向ける必要がある。
【０００３】
【発明が解決しようとする課題】
本発明の目的は、ユーザフレンドリで安全な遠隔制御装置を提供することで従来技術の欠点を克服することである。
【０００４】
【課題を解決するための手段】
この目的は、インテリジェントディジタルオーディオビジュアル再生システムのための遠隔制御装置が、記憶手段、支払い手段、音響制御回路、およびディスプレイ手段を含み、遠隔制御装置が、オーディオビジュアル再生システムの音響制御回路に接続された無線周波数受信機に関連する無線周波数送信機を含むことによって達成される。
【０００５】
別の特徴によれば、遠隔制御装置は、オーディオビジュアル再生システムによる学習手順によって記憶されるコードを有する。
【０００６】
別の特徴によれば、少なくとも１つのオーディオビジュアル再生システムが再生システムに接続された中央サーバから遠隔制御コードを受信する。
【０００７】
別の特徴によれば、遠隔制御装置の一機能は、オーディオビジュアル再生システムおよび支払い手段を停止または起動させることである。
【０００８】
別の特徴によれば、支払い手段を停止させると、運用者がプログラミングしたメッセージがオーディオビジュアル再生システムのディスプレイ手段上に表示される。
【０００９】
別の特徴によれば、遠隔制御の一機能によって、少なくとも１つの曲目を選択したことに相当するクレジットをオーディオビジュアル再生システムに入力することができる。クレジットの最大数が再生システムの記憶手段に記憶される。
【００１０】
本発明の第２の目的は、オーディオビジュアル再生システムを使用する本発明の遠隔制御装置のコードの学習手順を提供することである。
【００１１】
この目的は、学習手順が次の各ステップを含むことによって達成される。
オーディオビジュアル再生システムが、学習モードに設定されるステップ。
オーディオビジュアル再生システムの近くで遠隔制御装置を使用するステップ。
この動作モードで、オーディオビジュアル再生システムは少なくとも１つの遠隔制御識別コードを待つ。
遠隔制御識別コードを再生システムの記憶手段に記憶するステップ。
【００１２】
別の特徴によれば、学習モードはオーディオビジュアル再生システムのオペレーティングシステムに含まれる。
【００１３】
別の特徴によれば、遠隔制御装置を使用することで、遠隔制御装置は遠隔制御メモリに含まれる識別コードを含む信号を送信する。
【００１４】
別の特徴によれば、記憶ステップは、遠隔制御装置によって送信された信号中での識別コードを認識することを含む。
【００１５】
本発明のその他の特徴と利点は、添付の図面を参照しながら以下の詳細な説明を読めばよりよく理解できよう。
【００１６】
【発明の実施の形態】
唯一の図は、国際特許出願ＷＯ９６／１２２５７に記載されたオーディオビジュアル再生システムを示す。このオーディオビジュアル再生システムは以下に番号を付与しかつ参照する装置部品を使用することが好ましいが、これに限定されるわけではない。
【００１７】
中央マイクロプロセッサ装置（１）は、高性能のＰＣに適合するシステムである。本発明を実施するためには、記憶手段と少なくとも以下の特徴を備えたＩｎｔｅｌペンティアムタイプのシステムを使用する必要がある。
【００１８】
ＶＥＳＡローカルバスへの適合性
プロセッサキャッシュバッファ：２５６Ｋバイト
ＲＡＭ：３２Ｍバイト
高性能シリアルおよびパラレルポート
ＳＶＧＡまたは同等のマイクロプロセッサグラフィックアダプタ
ＳＣＳＩ／２または同等のバスコントローラ
自己給電式スタティックＲＡＭ
本発明に同等またはそれ以上の性能特性を備えた任意の同様のＣＰＵを使用することもできる。
【００１９】
このＣＰＵは、音響制御回路（５）、通信制御回路（４）、入力制御回路（３）、大容量メモリ制御回路（２）、およびディスプレイ手段制御回路（６）を制御しかつ管理する。ディスプレイ手段は主として高解像度で低放射線の非インタリーブＳＶＧＡタイプのフラットスクリーンビデオモニタ（６２）から構成される。このモニタは画像、例えば選択曲のアルバムカバー、グラフィックスまたはビデオクリップの再生のために使用される。
【００２０】
また記憶モジュール（２１）が、ＳＣＳＩタイプの高速大容量ハードディスクを使用する記憶手段として含まれ、ＣＰＵにすでに存在する記憶手段と関連付けられる。これらのモジュールは、オーディオビジュアル情報を記憶するために使用される。
【００２１】
中央サーバによって制御されるオーディオビジュアル情報配布ネットワークとの接続を可能にするため、高速（２８．８ｋｂｐｓ）通信モデム（４１）アダプタが内蔵されている。
【００２２】
選択曲の音響情報を再生するため、システムは、音楽シンセサイザタイプの電気回路（５）に接続された同調器兼増幅器（５３）からの信号を受信する拡声器（５４）を含む。前記電気回路は、多数の入力ソースを収容する一方で、サウンドカードタイプのマイクロプロセッサマルチメディアオーディオアダプタなどのＣＤ（コンパクトディスク）タイプの品質を提供する出口を備えるように構成されている。
【００２３】
入力制御回路（３）を使用して、オーディオビジュアル再生システムは、ガラスを覆うパネルを含み、「先進表面波技術」と、ＡＴタイプのバスコントローラを使用するタッチスクリーン（３３）を制御する。このタッチスクリーンは、顧客が使用するさまざまな選択情報をビデオモニタ（６２）またはテレビジョン画面（６１）に表示する。またこのタッチスクリーンは、システムの管理者または所有者が使用する管理制御情報を表示する。このタッチスクリーンはまた、インタフェース回路（３）を介してキーロック（３２）によって制御される適切なキーボードコネクタでシステムに接続可能な外部キーボード（３４）と組み合わせて保守修理のために使用される。
【００２４】
またインタフェース回路の入力（３）はまた遠隔制御アセンブリ（３１）も制御する。
【００２５】
オーディオビジュアル支払い装置（３５）もインタフェース表面入力（３）に接続される。硬貨、紙幣、トークン、チップカードによる任意の支払い方法または支払い方法の組合せを受け入れるその他の任意の装置を使用することも可能である。
【００２６】
このシステムは、鋼製のシャーシまたはフレーム内に収容される。
【００２７】
これらの部品に加え、コードレスマイクロフォン（５５）が音響コントローラ（５）に接続され、それによって前記オーディオビジュアル再生システムは強力な公衆向けのアナウンスおよび情報システム、またはカラオケ装置にも形を変えることができる。同様に、このシステムはコードレス拡声器システムを使用することができる。
【００２８】
管理者は、遠隔制御アセンブリ（３１）を使用して、例えばカウンタの後ろから、
マイクロフォンのオン／オフ制御手段と、
拡声器のミュート制御手段と
音量制御手段と
現在演奏中の選択曲を取り消す制御手段などの
さまざまな制御手段にアクセスし操作することができる。
【００２９】
オペレーティングシステムは、マルチメディア環境で特にオーディオビジュアル分野を指向するツールとサービスのライブラリの周囲に構築される。有利なことに、このライブラリは、多数のコードの断片の同時実行を効率的に許可する高性能のマルチタスクオペレーティングシステムを含む。したがって、このオペレーティングシステムは、衝突を回避する系統だった方法で、対抗する実施に対して、すなわち、ディスプレイ手段、音響再生手段上で実行される動作のためと、配布ネットワークを介して通信接続を制御するためとに、使用される。さらに、このオペレーティングシステムは極めて融通性に富む。
【００３０】
圧縮されディジタル化されたオーディオビジュアルデータは、記憶手段（２１）に記憶される。
【００３１】
ツールとサービスのライブラリは、システムの起動モジュールであるＳＳＭと呼ばれる第１のモジュールを含む。このモジュールは、単一のサービスしか提供せず、したがって、システムの電源が入ると自動的に充電される。システムが正しい登録番号を使用して起動されると、直接ＲＭＭと呼ばれるモジュールの「インサービス」モードに移行する。
【００３２】
ＲＭＭモジュールは、「インサービス」モードモジュールであり、すなわち、登録番号の確認が終了するとシステムが直ちに移行する動作モードである。このモードでは、システムは、例えば次のようないくつかの事前定義された動作の中の任意の動作によって起動できる任意の要求を実施する準備ができている。
【００３３】
画面に触れている顧客：顧客またはユーザが画面に触れると、システムはフォアグラウンドセッションの制御権を、顧客の選択および探索モードを制御するＣＢＳＭモジュールに移す。
【００３４】
通信ネットワークのサーバ呼び出し要求：システムは、電話回線上にループを検出するとバックグラウンド非同期手順を送信する：ＴＳＭモジュールテレコムサービスモード。
【００３５】
遠隔制御信号の受信：オーダが受信されるとＳＭＭシステム管理モジュールによってバックグラウンドセッションで処理される。ただし、フォアグラウンドセッションは他の動作に使用できる。
【００３６】
システムは上記の動作の１つが実施されるまで「インサービス」モードのままである。
【００３７】
ＳＭＭモジュールはシステム管理モジュールである。このモジュールは、システムに遠隔制御装置が要求した入力を受け入れるよう命令する動作を実施するために使用され、これらの動作は、現在実行中の手順を停止することなく直ちに処理される。そのような極めて多数の動作が可能であり、そのうちいくつかの非限定的な動作を以下に列挙する。
【００３８】
演奏する選択曲の音量の調整
演奏する予備音源の音量の選択
マイクロフォンのオン／オフ制御
マイクロフォン音量の調整
左右のチャネルのバランス調整
低音域周波数音量の制御
高音域周波数音量の制御
選択曲目の取り消しまたはスキップの制御
パノラマ、ズームインおよびズームアウト効果の制御
ソフトウェアプログラムリセットのトリガ
ＴＳＭモジュールは、中央サーバとオーディオビジュアル再生システムとの間の通信サービスモードモジュールである。このモジュールを使用して、配布ネットワーク上で利用できるすべての管理サービスを制御できる。すべての通信タスクは、システムのバックグラウンドタスクとして制御される。これらのタスクは、システムがそのすべてのフォアグラウンドタスクを完了した後で残っている処理時間だけをいつも使用する。したがって、システムが高優先タスクの１つを処理中の場合、通信タスクは自動的にシステムリソースへの要求を低減し、マイクロプロセッサが使用可能にしているすべての処理時間を使用する。
【００３９】
本発明による遠隔制御装置は、オーディオビジュアル再生システムの遠隔制御アセンブリを構成する。本発明による遠隔制御装置は、無線周波数送信機を使用する遠隔制御装置である。再生システムは、有利なことに、音響制御回路（５）上にある無線周波数受信機を含む。有利なことに、遠隔制御装置は、コンポーネント、例えばカウンタに、接続する固定手段を含む。遠隔制御装置は、必ずしも再生システムの方を直接向いている必要がない。無線周波数を使用するのに送信機を受信機の方に向ける必要はない。したがって、この特徴によって、遠隔制御装置をオーディオビジュアル再生システムの方に向けるのに必要な操作による劣化が回避される。
【００４０】
遠隔制御装置は、オーディオビジュアルシステムを、特定の遠隔制御にカスタマイズするためのコードを有する。このコードは、ＤＩＰスイッチによって構成されたアドレスの形式をとる。遠隔制御装置を使用する時には、前記遠隔制御装置によって送信された信号は、コードを含む第１のデータ項目と、これまで使用されているキーのコードを含む第２のデータ項目とを含む。遠隔制御装置が初めて使用される時に、遠隔制御識別コードが、特別の学習手順に従ってオーディオビジュアル再生システムによって記憶される。この手順はいくつかのステップを含む。
【００４１】
第１のステップで、オーディオビジュアル再生システムは、学習モードに設定される。この学習モードは、再生システムのオペレーティングシステムのツールとサービスのライブラリのサブルーチンを実施することからなる。この手順は、ディスプレイ手段によって画面に表示される特別のボタンに軽く触れることでトリガされる。オペレーティングシステムがこのモードの時、オペレーティングシステムは、再生システムに、いくつかの操作に続いて、遠隔制御が起動される時にだけ、反応することを許可するための遠隔制御コードを受信する準備ができている。有利なことに、遠隔制御装置は、メモリに記憶されたコードを含む信号の送信をトリガする特定のキーを含む。
【００４２】
遠隔制御装置を使用するステップで、遠隔制御装置は、識別コードの使用時に、信号に乗せて識別コードを送信する。
【００４３】
記憶するステップで、オーディオビジュアル再生システムは、遠隔制御識別コードをその記憶手段に記憶する。再生システムの学習モードを使用して、再生システムは、遠隔制御装置によって送信された信号中のコードを認識して記憶することができる。このステップの終わりに、再生システムは「インサービス」モードに戻る。したがって、この特別の学習モードによって、オーディオビジュアル再生システム内で遠隔制御コードを事前プログラミングする必要が解消される。さらにその後、遠隔制御が使用されるたびに、遠隔制御コードが再生システムによって記憶されると、オペレーティングシステムは、記憶されたコードを含む信号を送信したばかりの遠隔制御装置の識別コードを確認する。２つのコードが同一の場合、押されたキーのコードに対応する機能が実施される。２つのコードが同一でない場合、応答はない。
【００４４】
有利なことに、遠隔制御コードは、動作が実施される場合に限って給電され、かつ不揮発性メモリにシリアル情報を記憶できる集積回路（Ｉボタン）に記憶される。
【００４５】
有利なことに、第２の遠隔制御装置の第２のコードが１つのオーディオビジュアル再生システムによって記憶される。この第２のコードは、中央サーバと、オーディオビジュアル再生システムが通信モデム（４１）を介して接続される配布ネットワークとを使用して、各オーディオビジュアル再生システムに送信できる。
【００４６】
本発明による遠隔制御装置によって、ＳＭＭモジュールが制御する特定のキーと機能を使用してオーディオビジュアル再生システム上でいくつかのアクションを実施できる。遠隔制御キーを使用して実施される第１の機能は、再生システムと支払い手段を停止させることである。再生システムを停止させることによって、トークン、硬貨、紙幣、チップカードなどの任意の支払い手段が挿入されることを防止できる。有利なことに、システムが停止されている間、例えばオーディオビジュアル再生システムが使用できないことをユーザに通知するために、オーディオビジュアル再生システムのディスプレイ画面はメッセージを表示する。有利なことに、このメッセージはオーディオビジュアル再生システムの賃借人によって運用者プログラミング可能である。再生システムと支払い手段はまた遠隔制御装置上の同じキーまたは異なるキーを使用してサービスに復帰させることができる。
【００４７】
遠隔制御装置の第２の機能は、オーディオビジュアル再生システムに少なくとも１つの曲目に相当する値をクレジットすることを可能にすることである。曲目数は、第２の機能が使用されるたびに、かつ運用者が前記数の値を変更するたびに更新される。この第２の機能によって、例えば、オーディオビジュアル再生システムが設置されているバーの管理者は、自分がオーディオビジュアル再生システムの所まで行かず、かつ複雑な操作を行う必要なしに、顧客に少なくとも１つの選択を提供することができる。
【００４８】
本発明による遠隔制御装置は、オーディオビジュアル再生システムの方に向ける必要がないので、よりユーザフレンドリであると考えられる。さらに、この遠隔制御装置を、例えばカウンタに、固定することができ、したがって、遠隔制御装置を紛失したり破損することが回避される。コード学習モードによって、工場での製造時に、遠隔制御装置を再生システムと関連付ける必要がなくなる。これによって在庫管理が簡単化される。遠隔制御装置の他の機能によってもオーディオビジュアル再生システムの使用が簡単化される。
【００４９】
当業者が施すことができるその他の変更を本発明に加えることができるのは言うまでもない。
【図面の簡単な説明】
【図１】従来技術のインテリジェントディジタルオーディオビジュアル再生システムのブロック図である。
【符号の説明】
１  中央マイクロプロセッサ装置
２  大容量メモリ制御回路
３  入力制御回路
４  通信制御回路
５  音響制御回路
６  ディスプレイ手段制御回路
２１  記憶手段
３１  遠隔制御アセンブリ
３２  キーロック
３３  タッチスクリーン
３５  オーディオビジュアル支払い装置
４１  通信モデム
５３  同調器兼増幅器
５４  拡声器
５５  コードレスマイクロフォン
６１  テレビジョン画面
６２  ビデオモニタ
【図１】
0004814410.tif 000002